(57)【要約】【課題】本発明の課題は、レーザーポインターを操作する複数の利用者に、それぞれの利用者の知りたい情報を容易に提供することができるシステムを提供することである。【解決手段】展示物の部位に照準を定めて、レーザー図形を形成させるレーザーポインターと、レーザー図形が形成された展示物を撮影して撮影画像データを生成する撮像手段と、撮影画像データを図形認識用データと照合して、レーザー図形を認識して、そのレーザー図形の属性情報を作成する図形認識手段と、レーザー図形の照準座標を算出する図形座標算出手段と、照準座標と図形属性情報とを手掛りにして、展示物情報から、レーザー図形に関連付けられる展示物部位の説明情報を読み取る提供情報取得手段と、展示物の部位を説明した情報を展示物画像に重畳させて、表示させる提供情報表示手段と、を備える情報管理装置と、を備えることを特徴とする展示物情報提供システムである。【選択図】図１
2010224646.tif 000002
【特許請求の範囲】
【請求項１】
レーザーポインターと、情報管理装置と、から構成される展示物情報提供システムにおいて、
前記レーザーポインターは、
展示物の部位に照準を定めて、レーザー図形を形成させるものであって
前記情報管理装置は、
撮影画像データを格納する撮影画像格納領域と、
レーザー図形を認識するために参照される図形認識用データを格納する図形認識用データ格納領域と、
図形属性情報と、展示物の部位を説明した情報と、照準エリア情報とを関連付けた展示物情報を格納する展示物情報格納領域と、
を備える記憶手段と、
撮影画像や展示物の部位を説明した情報を表示する表示手段と、
レーザー図形が形成された展示物を撮影して撮影画像データを生成する撮像手段と、
撮像手段が生成した撮影画像データを展示物画像として撮影画像格納領域に格納する画像取得手段と、
撮影画像データを、図形認識用データと照合して、レーザー図形を認識して、そのレーザー図形の属性情報を作成する図形認識手段と、
レーザー図形の撮影画像上の照準座標を算出する図形座標算出手段と、
照準座標と図形属性情報とを手掛りにして、展示物情報から、レーザー図形に関連付けられる展示物部位の説明情報を読み取る提供情報取得手段と、
展示物部位の説明情報を展示物画像に重畳させて表示手段に表示させる提供情報表示手段と、
を備える管理装置である、
ことを特徴とする展示物情報提供システム。
【請求項２】
請求項１に記載の展示物情報提供システムであって、
前記情報管理装置において、
前記図形属性情報は、認識したレーザー図形の色と形状の情報とを含む属性情報である、
ことを特徴とする展示物情報提供システム。
【請求項３】
レーザー図形を認識する図形認識用データと、
図形属性情報と、展示物の部位を説明した情報と、照準エリア情報に関連付けた展示物情報と、
を用いる展示物情報提供方法において、
利用者がレーザーポインターを展示物の部位に照準を定めて、レーザー図形を形成させる照準ステップと、
レーザー図形が形成された展示物を撮影して撮影画像データを生成して展示物画像する撮影画像生成ステップと、
撮影画像データを、図形認識用データと照合して、レーザー図形を認識して、そのレーザー図形の属性情報を作成する図形認識ステップと、
認識したレーザー図形の撮影画像上の照準座標を算出する図形座標算出ステップと、
照準座標と図形属性情報とを手掛りにして、展示物情報から、レーザー図形に関連付けられる展示物の部位を説明した情報を読み取る提供情報取得ステップと、
展示物の部位を説明した情報を展示物画像に重畳させて表示させる提供情報表示ステップと、
を含んだ手順でなされることを特徴とする展示物情報提供方法。
【請求項４】
請求項３に記載の展示物情報提供方法であって、
前記図形属性情報は、認識したレーザー図形の色と形状の情報とを含む属性情報である、
ことを特徴とする展示物情報提供方法。
【請求項５】
コンピュータに組込むことによって、コンピュータを請求項１または請求項２に記載の展示物情報提供システムとして動作させるコンピュータプログラム。
【請求項６】
請求項５に記載のコンピュータプログラムを記録したコンピュータ読み取り可能な記録媒体。
【発明の詳細な説明】
【技術分野】
【０００１】
本発明は、レーザーポインターを用いて展示物の情報を提供するシステム、方法、プログラム、記録媒体に関するものである。
本発明は特に、レーザーポインター利用者の属性に合わせて展示物の情報を提供する場合に有用である。
【背景技術】
【０００２】
現代の企業活動においては、商品が氾濫する市場の中から、自社の商品を選択してもらうために、商品情報を、多様な顧客に対して適切に提供することが益々重要となっている。
たとえば、展示会やイベント会場・ショールームに集まった利用者に対して、展示された実物商品を使って、訴求力のあるプレゼンテーションが行なわれている。
このプレゼンテーションでは、説明者がレーザーポインターを使用する機会が多い。
そこで、レーザーポインターの使い方とその問題点を説明する。
《 Ａ．レーザーポインターによるプレゼンテーション画面制御》
説明者がプレゼンテーション画面にレーザーポインターの光で照準を定めることで、顧客の注意を喚起して、説明する内容を明確に伝えることができる。
たとえば、特許文献１では、投影スクリーン上の画面に対して、レーザーポインターの光で指示することによって、画面の切り替えや、線の描画や、画面の部分拡大などのプレゼンテーション画面を操作する技術が開示されている。
《 Ｂ．レーザーポインターによる機器制御 》
あるいは、レーザーポインターの光で照準を定めたものをカメラ撮影して、画像認識することで、撮影した機器を制御することができる。
たとえば、特許文献２では、カメラ２を有するポインティング装置１（＝レーザーポインター）を用いて、レーザー光で照準を定めた部屋の機器（たとえば、調光スイッチＤ1）をカメラ２で撮影して画像を生成して、画像分析ユニット６がこの撮影画像を分析して、調光スイッチＤ1を視認すると、制御信号生成ユニット７が調光スイッチＤ1に関連付けられた機器（たとえば、ランプＢ1）をＯＮ／ＯＦＦする技術が開示されている。
【先行技術文献】
【特許文献】
【０００３】
【特許文献１】特開２００１−１２５７３８号公報（段落００６５、段落００６７−段落００６９、図６）
【特許文献２】特表２００８−５１２８８１号公報（段落００４５、段落００５５、図２）
【発明の概要】
【発明が解決しようとする課題】
【０００４】
しかしながら、特許文献１の技術では、説明者の代わりに利用者がレーザーポインターを操作して、情報を入手しようとすると、レーザーポインターの動かし方に習熟しなければならず、簡単ですくに利用できる技術ではない。
また、特許文献２の技術では、カメラを備えたレーザーポインターを使用しなければならず、高価なものとなる。
あるいは、特許文献１や特許文献２の技術では、複数のレーザーポインターが同時に使用された時に、それぞれのレーザー光を識別することができない。
【０００５】
本発明は以上のような点を解決するためになされたものであって、本発明の課題は、レーザーポインターを操作する複数の利用者に、それぞれの利用者の知りたい情報を容易に提供することができるシステム、方法、プログラム、記録媒体を提供することである。
【課題を解決するための手段】
【０００６】
本発明は、以下の各発明に記載の手段により、前記課題を解決する。
すなわち、本願発明の第１の発明は、
レーザーポインターと、情報管理装置と、から構成される展示物情報提供システムにおいて、
前記レーザーポインターは、
展示物の部位に照準を定めて、レーザー図形を形成させるものであって
前記情報管理装置は、
撮影画像データを格納する撮影画像格納領域と、
レーザー図形を認識するために参照される図形認識用データを格納する図形認識用データ格納領域と、
図形属性情報と、展示物の部位を説明した情報と、照準エリア情報とを関連付けた展示物情報を格納する展示物情報格納領域と、
を備える記憶手段と、
撮影画像や展示物の部位を説明した情報を表示する表示手段と、
レーザー図形が形成された展示物を撮影して撮影画像データを生成する撮像手段と、
撮像手段が生成した撮影画像データを展示物画像として撮影画像格納領域に格納する画像取得手段と、
撮影画像データを、図形認識用データと照合して、レーザー図形を認識して、そのレーザー図形の属性情報を作成する図形認識手段と、
レーザー図形の撮影画像上の照準座標を算出する図形座標算出手段と、
照準座標と図形属性情報とを手掛りにして、展示物情報から、レーザー図形に関連付けられる展示物部位の説明情報を読み取る提供情報取得手段と、
展示物の部位を説明した情報を展示物画像に重畳させて表示手段に表示させる提供情報表示手段と、
を備える管理装置である、
ことを特徴とする展示物情報提供システム
である。
【０００７】
このように、レーザーポインターのレーザー図形を用いて、展示物の所望の部位に照準を定めると、展示物の部位を説明した情報の中から、レーザー図形の属性情報に対応付けられた展示物の部位を説明した情報を読み取って表示することが可能である。
なお、図形属性情報を利用者属性（たとえば、２０代・女性・会社員など）に関連付けることで、利用者属性に応じた展示物の部位を説明した情報を表示することが可能である。
【０００８】
本願発明の第２の発明は、
第１の発明の展示物情報提供システムであって、
請求項１に記載の展示物情報提供システムであって、
前記情報管理装置において、
前記図形属性情報は、認識したレーザー図形の色と形状の情報とを含む属性情報である、
ことを特徴とする展示物情報提供システムである。
【０００９】
本願発明の第３の発明は、
レーザー図形を認識する図形認識用データと、
図形属性情報と、展示物の部位を説明した情報と、照準エリア情報に関連付けた展示物情報と、
を用いる展示物情報提供方法において、
利用者がレーザーポインターを展示物の部位に照準を定めて、レーザー図形を形成させる照準ステップと、
レーザー図形が形成された展示物を撮影して撮影画像データを生成して展示物画像する撮影画像生成ステップと、
撮影画像データを、図形認識用データと照合して、レーザー図形を認識して、そのレーザー図形の属性情報を作成する図形認識ステップと、
認識したレーザー図形の撮影画像上の照準座標を算出する図形座標算出ステップと、
照準座標と図形属性情報とを手掛りにして、展示物情報から、レーザー図形に関連付けられる展示物の部位を説明した情報を読み取る提供情報取得ステップと、
展示物の部位を説明した情報を展示物画像に重畳させて表示させる提供情報表示ステップと、
を含んだ手順でなされることを特徴とする展示物情報提供方法である。
【００１０】
本願発明の第４の発明は、
第３の発明の展示物情報提供方法であって、
前記図形属性情報は、認識したレーザー図形の色と形状の情報とを含む属性情報である、
ことを特徴とする展示物情報提供方法である。
【００１１】
本願発明の第５の発明は、コンピュータに組込むことによって、コンピュータを第１の発明または第２の発明の展示物情報提供システムとして動作させるコンピュータプログラムである。
【００１２】
本願発明の第６の発明は、第５の発明のコンピュータプログラムを記録したコンピュータ読み取り可能な記録媒体である。
【発明の効果】
【００１３】
本願発明によれば、
（１）レーザーポインターの利用者がレーザー図形で照準を定めた展示物の部位の説明情報を、容易に提供することが可能である。
（２）レーザー図形の相違を認識することによって、複数のレーザーポインターを区別することが可能である。
従って、本発明によれば、レーザーポインターを利用して展示物の情報を入手したい複数の利用者に対して、それぞれの利用者にかなった展示物の情報を、容易に提供できるという効果がある。
【図面の簡単な説明】
【００１４】
【図１】図１は、本発明の実施の形態による展示物情報提供システム１の概要を説明する図である。
【図２】図２は、展示物情報提供システム１の大まかな作業手順を説明する図である。
【図３】図３は、撮影画像２９１を説明する図である。
【図４】図４は、レーザー図形の属性情報１９１を説明する図である。（実施例１）
【図５】図５は、展示物の部位を説明する情報を表示する画面の例である。
【図６】図６は、情報管理装置１００の詳細な構成図である。
【図７】図７は、撮影画像の照準エリアを説明する図である。
【図８】図８は、展示物情報１９５を説明する図である。
【図９】図９は、レーザー図形を認識する処理と図形座標を算出する処理の詳細な流れを説明する図である。
【図１０】図１０は、展示物９００と、レーザーポインター３００との距離を説明する図である。
【図１１】図１１は、レーザー図形と利用者属性を対応付ける情報１９３を説明する図である。
【発明を実施するための形態】
【００１５】
以下、図面等を参照しながら、本発明の実施の形態について、更に詳しく説明する。
【実施例１】
【００１６】
図１は、本発明の実施の形態による展示物情報提供システム１の概要を説明する図である。
展示物情報提供システム１は、情報管理装置１００と、レーザーポインター３００と、から構成される。
【００１７】
情報管理装置１００は、電子カメラ２００と情報表示装置５００とを備える。
情報管理装置１００は、既存の画像認識プログラムを備えたパーソナルコンピューターに、後述する専用プログラムを搭載したものである。
電子カメラ２００は、撮影により、色情報（たとえば、ＲＧＢ値）を有するカラーの撮影画像を生成する。
【００１８】
レーザーポインター３００は、赤色、緑色などの２，３種類の色の中のいずれか１つの色のレーザー光を照射する。レーザーポインター３００は、レーザー光により描画形成されるレーザー図形を展示物９００に照射することで、展示物９００の特定したい箇所に照準を定めることが可能である。
【００１９】
図２は展示物情報提供システム１の大まかな作業手順を説明する。
《 Ａ．レーザー光による照準 》
ショールームの案内者は、ショールームの利用者（＝顧客）に、利用者属性に対応したレーザー図形を照射するレーザーポインター３００を渡す（図２（１））。
利用者は、レーザーポインター３００を用いて、展示物９００の説明情報が欲しい箇所（＝部位）にレーザー図形を照射して、照準を定める（同（２））。
情報管理装置１００のカメラ２００は、レーザー図形が照射された展示物９００を撮影して、展示物の撮影画像を生成する（同（３））。
【００２０】
《 Ｂ．利用者にかなった説明情報の表示 》
情報管理装置１００は、展示物の撮影画像からレーザー図形を図形認識して、レーザー図形の属性（たとえば、図形の色や図形の形状など）と、レーザー図形が照準を定める位置の座標（＝照準座標）を算出する（同（４））。
情報管理装置１００は、レーザー図形の属性と照準座標の情報を用いて、展示物情報の中から、レーザー図形により照準された展示物の部位を説明した情報のうち、レーザー図形に対応した説明情報（すなわち、利用者属性に対応した説明情報）を抽出して表示装置５００に表示する（同（５））。
【００２１】
ここで、図１１を用いて、レーザー図形と利用者属性の対応付けを説明する。
図１１の（ａ）は、レーザー図形と利用者属性を対応付ける情報１９３の形式を説明する図である。レーザー図形と利用者属性を対応付ける情報１９３は、レーザー図形の属性情報１９３１と、利用者属性情報１９３２とを対応付ける。
レーザー図形属性情報１９３１は、レーザー図形の色や形状などを表す文字列情報である。（詳細は後述する）
利用者属性情報１９３２は、レーザーポインターを利用する利用者の職業や年代や性別などを表す文字列である。
【００２２】
図１１の（ｂ）には、レーザー図形と利用者属性の対応付けが例示されている。
たとえば、レーザー図形と利用者属性の対応付けとして、「（（赤、矢印）、（会社員、２０代、女性）」の例が示されている。
この例の意味は、レーザー図形の色が「赤」で、形状が「矢印」であれば、利用者属性は、職業が「会社員」で、年代が「２０代」で性別が「女性」であるということである。
【００２３】
また、レーザー図形と利用者属性の対応付けとして、「（緑、円）、（会社員、４０代、男性）」の例が示されている。
この例の意味は、レーザー図形の色が「緑」で、形状が「円」であれば、利用者属性は、職業が「会社員」で、年代が「４０代」で性別が「男性」であるということである。
【００２４】
図３は、撮影画像２９１を説明する図である。
図３には、撮影画像２９１が例示されている。例示されている撮影画像２９１は、展示物９００と、展示物に照射されたレーザー図形２９３が撮影されている。
なお、撮影画像の原点２９１１は、たとえば、左上隅である。
【００２５】
図４は、レーザー図形の属性情報１９１を説明する図である。
図４の（ａ）は、図形属性情報１９１の形式を説明する図である。
図形属性情報１９１は、色と形状とから構成される。
色は、レーザー図形を描画形成するレーザー光の色を表現する文字列である。
形状は、レーザー図形の形状などを表現する文字列である。
【００２６】
図４の（ｂ）には、図形属性情報１９１が例示されている。
たとえば、図形属性情報１９１として、「（赤、矢印）」の例が示されている。この例の意味は、レーザー図形を描画形成するレーザー光の色が「赤」で、レーザー図形の形状が「矢印」であるということである。
【００２７】
また、図形属性情報１９１として、「（緑、円）」の例が示されている。この例の意味は、レーザー図形を描画形成するレーザー光の色が「緑」で、レーザー図形の形状が「円」であるということである。
【００２８】
図５は、展示物の部位を説明した情報を表示する画面の例である。
説明情報の表示画面には、レーザー図形５９３が展示物５９１に照射された撮影画像２９１に、説明情報５９５が重畳されて表示された例が示されている。
説明情報５９５は、展示物の部位を説明した情報であるので、説明情報５９５と展示物の部位との関連が目視して判るように、噴出し図形を用いる。
説明情報５９５「人気の色は、オレンジです。」は、噴出し図形によって、展示物に照射して照準を定めたレーザー図形５９３「（矢印の図形）」と関連が判るように、表示されている。
なお、この説明情報５９５は、利用者属性に対応した説明情報である。
【００２９】
図６は、情報管理装置１００の詳細な構成図である。
情報管理装置１００は、ＣＰＵ１０１と、カメラ接続部１０３と、電子カメラ２００と、表示装置接続部１０４と、情報表示装置５００と、記憶部１０９と、専用プログラムとを備える。
ＣＰＵ１０１と、カメラ接続部１０３と、表示装置接続部１０４と、記憶部１０９とは、ＢＵＳ１９９で接続される。
【００３０】
ＣＰＵ１０１は、中央演算装置である。
カメラ接続部１０３は、ＵＳＢ（Ｕｎｉｖｅｒｓａｌ  Ｓｅｒｉａｌ  Ｂｕｓ）やＬＡＮアダプターである。カメラ接続部１０３は、電子カメラ２００を接続する。
表示装置接続部１０４は、ディスプレーアダプターである。表示装置接続部１０４は、情報表示装置５００（たとえば、液晶表示装置や有機ＥＬ表示装置など）を接続する。
【００３１】
記憶部１０９は、半導体メモリーや磁気メモリーである。
記憶部１０９（記憶手段）は、撮影画像格納領域０９１と、辞書格納領域０９２と、展示物情報格納領域０９３と、を備えて、専用プログラムとを記憶する。
【００３２】
撮影画像格納領域０９１は、撮影画像データ２９１を格納する。
図形認識用データ格納領域０９２は、レーザー図形の色を認識するために参照される色データ１９３と、レーザー図形の形状を認識するために参照される形状データ１９４とを含んで構成される図形認識用データを格納する。
色データ１９３は、ＲＧＢ値の比率を含む標準色データと色情報とを対応付けたデータである。形状データ１９４は、標準形状データと形状情報とを対応付けたデータである。
展示物情報格納領域０９３は、図形属性情報と展示物の部位を説明した情報とを対応付けた対応情報を、照準エリア情報に関連付けた展示物情報を格納する。
なお、図形属性情報は、図形の色と形状とを含む情報である。
【００３３】
このほかに、画像取得手段１１０と、図形認識手段１２０と、図形座標算出手段１３０と、提供情報取得手段１４０と、提供情報表示手段１５０と、を備える。これらの各手段は、それぞれの専用プログラムによって実現され、専用プログラムがＣＰＵ１０１に解釈・実行されることによって機能する。
【００３４】
電子カメラ２００（撮像手段）は、レーザーポインターによってレーザー図形が形成された展示物を撮影して、色情報（＝ＲＧＢ値）を有する撮影画像データ２９１を生成する。
画像取得手段１１０は、電子カメラ２００が生成した撮影画像データ２９１を撮影画像格納領域に格納する。
【００３５】
図形認識手段１２０は、撮影画像データ２９１を用いて、色データ１９３と形状データ１９４を参照して、レーザー図形を認識して、認識したレーザー図形の色情報と形状情報とを含む図形属性情報を作成する。
【００３６】
図形認識手段１２０は、レーザー図形抽出機能と、形状認識機能と、色認識機能と、を含んで構成される。
レーザー図形抽出機能は、撮影画像データ２９１のＲＧＢの各最高値の相加平均の二分の一の値を所定の閾値に設定して、所定の閾値を用いて撮影画像データを２値化して、２値化した図形画像を外接矩形で切出して、レーザー図形データとする。
形状認識機能は、レーザー図形データを図形ベクトルデータに変換（詳細は後述する）して、この図形ベクトルデータから方向コード列（チェーンコード）を算出して、方向コード列と形状データ１９４の標準形状データとを公知のＤＰ（Ｄｙｎａｍｉｃ  Ｐｒｏｇｒａｍｍｉｎｇ）マッチング法により比較して類似度を算出して、類似度が最も高い標準形状データに対応付けられた形状情報（たとえば、形状を表現する文字列）を読み取る。
【００３７】
ここで、レーザー図形データを図形ベクトルデータに変換するアルゴリズム（＝ラスターベクター変換アルゴリズム）について説明する。ラスターベクター変換アルゴリズムは、ラスター画像を所定の閾値を用いて２値化処理した後に、２値化画像の境界領域を切断しないように削除して細らせて細線化処理し、細線化された画像から端点などの特徴点と、鋭く曲がる角点を抽出して、この特徴点と角点を接続した線分を作成して、ベクトルデータとする。
ラスターベクター変換アルゴリズムの詳細は、たとえば、非特許文献１−酒井幸市著、「画像処理とパターン認識入門」、森北出版株式会社、２００６年１２月２０日第１版、ｐ．１９１−２０４（１１．２  ラスタベクトル変換による図形認識）−に記載されている。
【００３８】
色認識機能は、形状を認識したレーザー図形画像の色情報（ＲＧＢ値）を用いてＲＧＢ値の比率を算出して、色データ１９３の標準色データと比較して、算出した比率に最も近い比率を有する標準色データを抽出して、この標準色データに対応する色情報（たとえば、色を表現する文字列）を読み出す。
【００３９】
図形座標算出手段１３０は、図形認識手段１２０が認識したレーザー図形の撮影画像上の位置座標を照準座標として算出する。
提供情報取得手段１４０は、照準座標と、図形属性情報と、を手掛りにして、展示物情報を参照して、照準座標を包含する照準エリア情報に関連付けられた対応情報の中から、一致する図形属性情報に対応付けられた展示物の部位を説明した情報を読み取る。
提供情報表示手段１５０は、展示物の部位を説明した情報を、撮影画像により形成された展示物画像の照準座標の位置に関連付けて重畳させて情報表示装置５００（表示手段）に表示させる。
【００４０】
図７は、撮影画像の照準エリアを説明する図である。
照準エリア２９５は、撮影された展示物の部位の範囲を定める領域である。照準エリア２９５は、たとえば、矩形であり、互いに重なることはない。なお、照準エリア２９５の形は、矩形に限定されず、円形や三角形などの幾何学図形である。
【００４１】
図８は、展示物情報１９５を説明する図である。
図８の（ａ）は、展示物情報１９５の形式を説明する図である。
展示物情報１９５は、照準エリア情報１９５１と、図形属性情報１９５２と、展示物の部位を説明した情報１９５３とから構成される。
照準エリア情報１９５１は、座標値の範囲を表す情報である。
図形属性情報１９５２は、レーザー図形の色や形状などを表現する文字列である。
展示物の部位を説明した情報１９５３は、部位を説明した文字列である。
【００４２】
図８の（ｂ）には、展示物情報１９５が例示されている。
たとえば、展示物情報１９５として、「（Ｘ１、Ｙ１ ）  〜（Ｘ２、Ｙ２ ）、赤、矢印、人気の色は、オレンジです。」の例が示されている。
この例の意味は、レーザー図形の照準座標が、照準エリア情報１９５１「（Ｘ１、Ｙ１ ）  〜（Ｘ２、Ｙ２ ）」に含まれる時に、レーザー図形の属性情報１９５２が、レーザー光の色が「赤」で、形状が「矢印」であれば、展示物の部位を説明した情報１９５３は、「人気の色は、オレンジです。」であるということである。
【００４３】
次に、図９を用いて、レーザー図形を認識する処理とレーザー図形の照準座標を算出する処理の詳細な流れを説明する。
《Ｂ−１．レーザー図形の形状を認識する処理》
図形認識手段１２０のレーザー図形抽出機能は、撮影画像２９１を所定の閾値で２値化して、図形画像を外接する矩形で切出して、レーザー図形画像データ２９３ａ／２９３ｂとする（図９（４−１））。
図形認識手段１２０は、レーザー図形画像データ２９３ａ／２９３ｂを用いて、色情報と形状情報とを含む図形属性情報を作成する（同（４−２））。
詳細には、図形認識手段１２０の形状認識機能は、切出したレーザー図形画像データ２９３ａ／２９３ｂに対して、形状データ１９４を適用して、レーザー図形の形状を認識して、形状情報（たとえば、形状を表現する文字列）を読み出す。
次に、図形認識手段１２０の色認識機能は、形状を認識したレーザー図形画像の色情報に対して、図形認識用データの色データ１９３を適用して、レーザー図形の色を認識して、色情報（たとえば、色を表現する文字列）を読み出す。
なお、図形属性の形状情報と色情報を読み出すときに、形状認識機能と色認識機能とを実行する順序は、どちらを最初に実行しても良い。
【００４４】
《Ｂ−２．レーザー図形の照準座標を算出する処理》
図形座標算出手段１３０は、図形認識手段１２０が認識したレーザー図形の撮影画像上の座標を照準座標として算出する（同（４−３））。
【００４５】
図１０は、展示物９００と、レーザーポインター３００との距離を説明する図である。
レーザーポインターで使用されるレーザー光は、目に入った時の安全性への配慮から、明るさに制限が設けられていて、電子カメラ２００が画像認識できるレーザー図形としての到達距離は、概ね５ｍである。
【実施例２】
【００４６】
説明情報の表示画面５００における展示物画像として、撮影画像２９１の代わりにＣＧ画像を用いる例を説明する。
ＣＧ画像は、展示物をデジタルペイントにて描いて作成したビットマップデータや、ＣＡＤデータなどからレンダリング生成した二次元画像や３次元画像である。このＣＧ画像は、情報管理装置１００の記憶部１０９に記憶させる。このとき、情報管理装置１００の提供情報表示手段１５０は、展示物のＣＧ画像により形成された展示物画像に対して、展示物の部位を説明した情報を、照準座標の位置に重畳させて、表示手段５００に表示する。
【符号の説明】
【００４７】
１  展示物情報提供システム
１００  情報管理装置
１１０  画像取得手段
１２０  図形認識手段
１３０  図形座標算出手段
１４０  提供情報取得手段
１５０  提供情報表示手段
１９０  記憶部、記憶手段
１９１  レーザー図形の属性情報、図形属性情報
１９３  レーザー図形と利用者属性を対応付ける情報
１９５  展示物情報
２００  電子カメラ、撮像手段
２９１  撮影画像
３００  レーザーポインター
５００  情報表示装置、表示手段
５９１  表示画面の展示物
５９３  表示画面のレーザー図形
５９５  表示画面の説明情報
９００  展示物
【図１】
2010224646.tif 000003
【図２】
2010224646.tif 000004
【図３】
2010224646.tif 000005
【図４】
2010224646.tif 000006
【図５】
2010224646.tif 000007
【図６】
2010224646.tif 000008
【図７】
2010224646.tif 000009
【図８】
2010224646.tif 000010
【図９】
2010224646.tif 000011
【図１０】
2010224646.tif 000012
【図１１】
2010224646.tif 000013